(57)【特許請求の範囲】
【請求項１】
ノートパソコンが載置される載置部と、
該載置部に回動可能に支持されたフレームと、
該フレームに支持された一対のスピーカと、
を備えてなることを特徴とするノートパソコン載置台。
【請求項２】
前記載置部は、前記スピーカへの音声信号を増幅するアンプが設けられたことを特徴とする請求項１記載のノートパソコン載置台。
【請求項３】
前記載置部は、重低音用スピーカが設けられたことを特徴とする請求項１記載のノートパソコン載置台。
【請求項４】
ノートパソコンが載置され、複数の通気孔を有する載置板と、
該載置板の下方に形成され、前側に吸気口が形成され、後側に排気口が形成された冷却用空気導入通路と、
前記載置板を所定の角度で傾斜させる支持部と、
を備えてなることを特徴とする請求項１記載のノートパソコン載置台。
【発明の詳細な説明】
【０００１】
【発明の属する技術分野】
本発明はノートパソコンの音響性能を向上させるように構成されたノートパソコン載置台に関する。
【０００２】
【従来の技術】
近年、ノート型のパーソナルコンピュータ（以下「ノートパソコン」と言う）は、
ＣＤ−ＲＯＭ装置やＤＶＤ−ＲＯＭ装置が標準装備されており、また、音楽や映像の編集ソフトの一般化や記憶装置としてのハードディスク装置の大容量化と相まってマルチメディア化、特にＡＶ（オーディオ・ビジュアル）機能が著しく充実する傾向にある。
【０００３】
しかし、一方で、ノートパソコンは、デスクトップ型パーソナルコンピュータに比べて拡張性が乏しく、特に低音の音量不足に代表されるように、内臓スピーカの性能がソフトウエアやハードウエアなどの他の機能に比べて見劣りしているのが現状である。
【０００４】
【発明が解決しようとする課題】
従来、小型化及び薄型化されたノートパソコンにおいては、内蔵されたスピーカがスペースの関係から容量の小さいものしか搭載することができず、ノートパソコンの音響性能を高めることが難しく、ＣＤ−ＲＯＭに記憶された音楽を再生する場合、あるいはＤＶＤ−ＲＯＭに記憶された映画やコンサートの映像を鑑賞する場合には、充分な音響効果が得られないという問題があった。
【０００５】
また、ノートパソコンに外部スピーカを接続することにより音質を向上させることも考えられるが、この場合にはスピーカとの間でケーブルを接続しなければならず、煩わしいという問題が発生する。
そこで、本発明は上記課題を解決したノートパソコン載置台を提供することを目的とする。
【０００６】
【課題を解決するための手段】
本発明は上記課題を解決するため、以下のような特徴を有する。
上記請求項１記載の発明は、ノートパソコンが載置される載置部と、載置部に回動可能に支持されたフレームと、フレームに支持された一対のスピーカと、を備えてなるものであり、ＣＤ−ＲＯＭに記憶された音楽を再生する場合、あるいはＤＶＤ−ＲＯＭに記憶された映画やコンサートの映像を鑑賞する場合の音質を向上させてより臨場感を楽しむことができる。
【０００７】
上記請求項２記載の発明は、載置部にスピーカへの音声信号を増幅するアンプを設けたものであり、スピーカからの音量を増大させることができる。
【０００８】
上記請求項３記載の発明は、載置部に重低音用スピーカを設けたものであり、ＣＤ−ＲＯＭに記憶された音楽を再生する場合、あるいはＤＶＤ−ＲＯＭに記憶された映画やコンサートの映像を鑑賞する場合の音響効果を向上させることができる。
【０００９】
上記請求項４記載の発明は、ノートパソコンが載置され、複数の通気孔を有する載置板と、載置板の下方に形成され、前側に吸気口が形成され、後側に排気口が形成された冷却用空気導入通路と、載置板を所定の角度で傾斜させる支持部と、を備えており、ファンを使用せずにノートパソコンからの放熱により冷却用空気導入通路の空気が排気口へ移動すると共に、吸気口から外気を吸引することにより、ノートパソコンの放熱を促進してノートパソコンの温度を低下させることができる。
【００１１】
【発明の実施の形態】
以下、図面と共に本発明の一実施例について説明する。
図１は本発明になるノートパソコン載置台の一実施例を示す斜視図である。図２は本発明になるノートパソコン載置台の側断面図である。
図１及び図２に示されるように、ノートパソコン載置台１０は、ノートパソコン１２が載置される載置部１４と、載置部１４の左右両側に設けられた一対のスピーカユニット１６，１８と、載置部１４の内部に重低音用のサブウーファー２０を収納するスピーカ室２２とが設けられている。
【００１２】
スピーカユニット１６，１８は、載置部１４の左右側面に突出する回動軸２４，２６と、回動軸２４，２６に支持された中高音用の薄型スピーカ２８，３０とからなる。この左右のスピーカ２８，３０は、回動軸２４，２６を中心にＡ方向に回動して傾斜角度を任意の角度に調整することができるように設けられている。従って、スピーカ２８，３０の傾斜角度を任意の角度に調整することができると共に、使用しないときには邪魔にならないように倒すこともできる。
【００１３】
ノートパソコン１２は、上面にキーボード１２ａが配設された本体１２ｂと、液晶ディスプレイ１２ｃとを有する。液晶ディスプレイ１２ｃは、本体１２ｂに対して回動可能に取り付けられている。また、本体１２ｂの内部には、ＣＰＵ、ハードディスク装置、ＣＤ−ＲＯＭ装置（図示せず）等の発熱部が収納されている。
尚、ノートパソコン載置台１０は、載置部１４の底面前側に固定脚１４ｃが突出しており、底面後側に昇降脚１４ｄが設けられている。そのため、昇降脚１４ｄのねじ部を回すことにより後部を昇降させて載置部１４の傾斜角度を調整することができる。
【００１４】
図３は載置部１４の横断面図である。
図３に示されるように、スピーカ室２２は、載置部１４の内部中央に設けられており、サブウーファー２０が下方に向けて取り付けられている。さらに、スピーカ室２２の下方には、載置部１４の左右側面に連通された一対の通路３２，３４が左右方向に延在形成されている。この通路３２，３４は、載置部１４の中央から左右方向に向けて形成されており、載置部１４の左右側面１４ａ，１４ｂの開口３２ａ，３４ａに連通されている。また、通路３２，３４は、載置部１４の中央付近の通路面積が小さくなっており、開口３２ａ，３４ａの通路面積が最も大きくなるように天井部分が傾斜している。
【００１５】
そして、サブウーファー２０から出力された音声は、通路３２，３４を通過して左右方向に拡散される。スピーカ２８，３０及びサブウーファー２０は、音声信号を増幅するアンプ回路３６が搭載された基板３８及びUSBケーブル４０を介してノートパソコン１２のUSB端子４２に接続される。従って、ノートパソコン１２において、ＣＤ−ＲＯＭあるいはＤＶＤ−ＲＯＭに記憶された音楽が再生されて音声信号がＤ／Ａコンバータ（図示せず）を介して出力されると、アンプ回路３６で増幅されてスピーカ２８，３０からクリアなステレオ再生音を聴くことができる。また、小型スピーカでは、不足しがちな低音域については、低音域専用のアンプで増幅した音声信号がサブウーファー２０に供給される。
【００１６】
そのため、ノートパソコン１２が起動されて音声出力があるときは、スピーカ２８，３０からクリアなステレオ音が再生されると共に、サブウーファー２０から重低音が再生されてコンサートの音楽や臨場感のある効果音等を楽しむことができる。
【００１７】
このように、ノートパソコン載置台１０は、スピーカ２８，３０及びサブウーファー２０が一体に設けられているので、ノートパソコン１２を載置部１４に載置してUSBケーブル４０を接続するだけで簡単にＣＤ−ＲＯＭに記憶された音楽を再生したり、あるいはＤＶＤ−ＲＯＭに記憶された映画やコンサートの映像を鑑賞する場合の音質を向上させることができるので、スピーカ２８，３０及びサブウーファー２０からの再生音による臨場感をより楽しむことができる。
また、従来のように外部スピーカを接続する場合のようにスピーカが邪魔にならず、面倒な配線作業も不要である。
【００１８】
次に本発明の変形例について説明する。
図４は本発明の変形例１の分解斜視図である。図５は変形例１の側断面図である。尚、図４及び図５において、上記実施例と同一部分には、同一符号を付してその説明を省略する。
図４及び図５に示されるように、変形例１のノートパソコン載置台５０は、ノートパソコン１２が載置される載置板５４と、載置板５４の下方に形成された冷却用空気導入通路５６を形成するための傾斜部材５７と、載置板５４を所定の角度αで傾斜させる支持部材５８と、を有する。載置板５４は、金網またはパンチングボード等からなり、複数の通気孔５４ａが設けられている。
ノートパソコン載置台５０は、前側に吸気口６０が形成され、後側に排気口６２が形成されている。この吸気口６０及び排気口６２は、冷却用空気導入通路５６に連通されている。
【００１９】
また、ノートパソコン１２は、本体１２ｂの底面に半円球形状の突起６４が設けられているので、載置板５４から突起６４の突出寸法分（およそ２〜３ｍｍ程度）の隙間６６が載置板５４と本体１２ｂの底面との間に形成される。そして、ノートパソコン１２の本体１２ｂ内部には、発熱量の大きいＣＰＵ等が収納されているので、本体１２ｂの底面から放熱される。
【００２０】
これにより、本体１２ｂの底面に対向する冷却用空気導入通路５６内の空気が暖められる。その結果、冷却用空気導入通路５６内の空気は、温度が上昇して膨脹するため、上方へ流れる空気流となる。このような空気流が図５中矢印で示すように発生するのに伴って、冷却用空気導入通路５６内の空気が排気口６２から排気され、同時に吸気口６０から外気が冷却用空気導入通路５６内に導入される。また、載置板５４は、複数の通気孔５４ａが設けられているので、本体１２ｂの底面の隙間６６に介在する空気は、本体１２ｂの底面からの放熱により加熱されると、通気孔５４ａを通過して冷却用空気導入通路５６内に流入する。
【００２１】
従って、ノートパソコン載置台５０は、載置板５４の傾斜面７２にノートパソコン１２が載置されると図４及び図５に示されるように、冷却用空気導入通路５６内の空気が矢印で示すように傾斜面７２に沿って上昇しながら後方に移動して排気口６２から外部へ排気される。これと同時にノートパソコン載置台５０の前面側に設けられた吸気口６０から外気が冷却用空気導入通路５６内に導入される。従って、ノートパソコン載置台５０では、モータで駆動されるファンを設けなくてもノートパソコン１２からの放熱により冷却用空気導入通路５６内に空気流を発生させることができ、ノートパソコン１２の底面を冷却することができる。
【００２２】
上記実施例では、ノートパソコン載置台の左右側面に一対のスピーカを設けると共に、内部にサブウーファーを内蔵する構成を一例として挙げたが、これに限らず、ノートパソコン載置台の背面側に一対のスピーカを設けるようにしても良いし、あるいはノートパソコン載置台の底面にサブウーファーを設ける構成としても良いのは勿論である。
【００２３】
次に本発明の変形例２について説明する。
図６は変形例２の構成を示す斜視図である。尚、図６においては、ノートパソコンを省略して示してある。
【００２４】
図６に示されるように、変形例２のノートパソコン載置台８０は、前述した変形例１と同様に、ノートパソコン１２が載置される載置板５４と、載置板５４の下方に形成された冷却用空気導入通路５６を形成するための傾斜部材５７と、載置板５４を所定の角度αで傾斜させる支持部材５８と、を有する。また、傾斜部材５７の内部に重低音用のサブウーファー２０が設けられている。
ノートパソコン載置台５０は、前側に吸気口６０が形成され、後側に排気口６２が形成されている。この吸気口６０及び排気口６２は、冷却用空気導入通路５６に連通されている。
【００２５】
さらに、ノートパソコン載置台８０は、背面に四角枠状のフレーム８２が前後方向に回動可能に支持されている。このフレーム８２は、金属パイプを長方形の枠状に曲げ加工したものであり、下水平部８２ａと上水平部８２ｂの両端間に左右垂直部８２ｃ，８２ｄが装架されている。
【００２６】
フレーム８２は、下水平部８２ａがノートパソコン載置台８０の背面に設けられた支持部（図示せず）により回動可能に支持されている。また、左右垂直部８２ｃ，８２ｄには、中高音用の薄型スピーカ２８，３０が回動可能に支持されている。薄型スピーカ２８，３０は、フレーム８２の回動角度により上下方向の角度が調整され、左右垂直部８２ｃ，８２ｄを軸として回動させることにより左右方向の向きが調整される。
【００２７】
さらに、フレーム８２の上水平部８２ｂには、ノートパソコン１２の液晶ディスプレイ１２ｃに照明が反射しないようにするための庇として機能するボード８４が回動可能に支持されている。このボード８４は、表面８４ａにペンホルダ８４ｂが設けられている。
【００２８】
さらに、ボード８４は、図７に示されるように、裏面８４ｃがホワイトボードになっており、庇として使用しないときは裏面８４ｂが前面となるように回動させてメモあるいは伝言等を記載することができる。
【００２９】
図８は変形例２のフレーム８２を畳んだ状態を示す斜視図である。
図８に示されるように、ノートパソコン載置台８０では、ノートパソコン１２が搭載されないときは、フレーム８２を前方に回動させ、且つ薄型スピーカ２８，３０を１８０度回動させて載置板５４に載置させた状態に仕舞うことができる。
【００３０】
尚、上記実施例では、載置板１４が金網またはパンチングボードにより形成されたものとして説明したが、これに限らず、板金に円形、楕円形、長円形、長方形の孔を設ける構成としても良いのは勿論である。
【００３１】
【発明の効果】
上述の如く、請求項１記載の発明によれば、ノートパソコンが載置される載置部と、載置部に回動可能に支持されたフレームと、フレームに支持された一対のスピーカと、を備えてなるため、ＣＤ−ＲＯＭに記憶された音楽を再生する場合、あるいはＤＶＤ−ＲＯＭに記憶された映画やコンサートの映像を鑑賞する場合の音質を向上させてより臨場感を楽しむことができる。
【００３２】
上記請求項２記載の発明によれば、載置部にスピーカへの音声信号を増幅するアンプを設けたため、スピーカからの音量を増大させて迫力のある音楽や効果音を再生することができる。
【００３３】
上記請求項３記載の発明によれば、載置部に重低音用スピーカを設けたため、比較的小型のスピーカで不足しがちな重低音を聴くことができ、ＣＤ−ＲＯＭに記憶された音楽を再生する場合、あるいはＤＶＤ−ＲＯＭに記憶された映画やコンサートの映像を鑑賞する場合の音響効果を向上させることができる。
【００３４】
上記請求項４記載の発明によれば、ノートパソコンが載置され、複数の通気孔を有する載置板と、載置板の下方に形成され、前側に吸気口が形成され、後側に排気口が形成された冷却用空気導入通路と、載置板を所定の角度で傾斜させる支持部と、を備えてなるため、ファンを使用せずにノートパソコンからの放熱により冷却用空気導入通路の空気を排気口へ移動させると共に、吸気口から外気を吸引することにより、ノートパソコンの放熱を促進してノートパソコンの温度を低下させることができる。従って、ファンを駆動させるためのモータも不要であると共に、ファン駆動による消費電力も節約することができる。
【図面の簡単な説明】
【図１】本発明になるノートパソコン載置台の一実施例を示す斜視図である。
【図２】本発明になるノートパソコン載置台の側断面図である。
【図３】ノートパソコン載置台１０の構成を示す横断面図である。
【図４】本発明の変形例１の分解斜視図である。
【図５】変形例１の側断面図である。
【図６】変形例２の構成を示す斜視図である。
【図７】ボードの裏面を示す斜視図である。
【図８】変形例２のフレーム８２を畳んだ状態を示す斜視図である。
【符号の説明】
１０，５０，８０  ノートパソコン載置台
１２  ノートパソコン
１４  載置部
１６，１８  スピーカユニット
２０  サブウーファー
２２  スピーカ室
２４，２６  回動軸
２８，３０  スピーカ
３２，３４  通路
３６  アンプ回路
４０  USBケーブル
４２  USB端子
５４  載置板
５６  冷却用空気導入通路
６０  吸気口
６２  排気口
８２  フレーム
８４  ボード
【図１】
0003788239.tif 000002
【図２】
0003788239.tif 000003
【図３】
0003788239.tif 000004
【図４】
0003788239.tif 000005
【図５】
0003788239.tif 000006
【図６】
0003788239.tif 000007
【図７】
0003788239.tif 000008
【図８】
0003788239.tif 000009